(57)【要約】【課題】  録画手段を１つしか持たない放送受信機器において時間的に重なる複数の放送番組を録画することができるようにする。【解決手段】  放送信号を受信し映像データおよび音声データを再生する機能と、再生された映像データおよび音声データを記録する機能と、通信回線（インターネット）に接続可能な機能と、入力された視聴予約や録画予約を受け付けて対応する処理をする機能と、を備えた放送受信機器において、時間的に重なる複数の放送番組の視聴予約と録画予約もしくは複数の放送番組の録画予約が設定されていると判別すると、一つの予約に係る放送番組のコンテンツは前記受信した放送信号から再生されたものを選択し、残りの予約のうち前記一つの予約と時間的に重なる予約に係る放送番組のコンテンツは前記通信回線を介して受信したものを選択し、録画予約に係る放送番組のコンテンツは記録するように構成した。【選択図】  図１
2008199339.tif 000002
【特許請求の範囲】
【請求項１】
受信した複数のチャンネルの信号から所望のチャンネルの信号を抽出し番組コンテンツを復調するチューナ部と、復調された映像データおよび音声データを復号し、映像信号および音声信号を生成するデコーダ部と、復調された映像データおよび音声データを不揮発的に記憶するデータ記録部と、通信回線に接続可能なインタフェース部と、録画予約のための入力を受け付ける入力処理部と、前記データ記録部および前記インタフェース部を制御する制御部と、を備えた放送受信機器であって、
前記制御部は、時間的に重なる２つの放送番組の録画予約が設定されていると判別すると、開始時刻が時間的に前の番組予約に係る放送番組のコンテンツは前記チューナ部で復調されたものを選択して前記データ記録部に記憶し、
所定の時刻になると前記制御部は前記インタフェース部を介して放送局あるいはサービス事業者のサーバに対して前記通信回線を介して前記録画予約に係る放送番組のコンテンツを送信するよう要求を行ない、該要求に応じて圧縮されて送信されて来たコンテンツデータを前記インタフェース部により受信して前記データ記録部に記憶するように構成されていることを特徴とする放送受信機器。
【請求項２】
放送信号を受信し映像データおよび音声データを再生する機能と、再生された映像データおよび音声データを記録する機能と、通信回線に接続する機能と、入力された視聴予約や録画予約を受け付けて対応する処理をする機能と、を備えた放送受信機器であって、
時間的に重なる複数の放送番組の視聴予約と録画予約もしくは時間的に重なる複数の放送番組の録画予約が設定されていると判別すると、一つの予約に係る放送番組のコンテンツは前記受信した放送信号から再生されたものを選択し、残りの予約のうち前記一つの予約と時間的に重なる予約に係る放送番組のコンテンツは前記通信回線を介して受信したものを選択し、録画予約に係る放送番組のコンテンツは記録するように構成されていることを特徴とする放送受信機器。
【請求項３】
受信した複数のチャンネルの信号から所望のチャンネルの信号を抽出し番組コンテンツを復調するチューナ部と、復調された映像データおよび音声データを復号し映像信号および音声信号を生成するデコーダ部と、復調された映像データおよび音声データを不揮発的に記憶するデータ記録部と、通信回線に接続可能なインタフェース部と、視聴予約と録画予約のための入力を受け付ける入力処理部と、前記データ記録部や前記インタフェース部を制御する制御部と、を備えた放送受信機器であって、
前記制御部は、時間的に重なる複数の放送番組の視聴予約と録画予約もしくは時間的に重なる複数の放送番組の録画予約が設定されていると判別すると、一つの予約に係る放送番組のコンテンツは前記チューナ部で復調されたものを選択し、残りの予約のうち前記予約と時間的に重なる予約に係る放送番組のコンテンツは前記インタフェース部により前記通信回線を介して受信したものを選択し、録画予約に係る放送番組のコンテンツは前記データ記録部に記憶するように構成されていることを特徴とする放送受信機器。
【請求項４】
タイマ管理部を備え、所定の時刻になると前記タイマ管理部から前記制御部へタイマ割込みが発生し、前記制御部は前記インタフェース部を介して所定のサーバに対して前記通信回線を介して前記録画予約に係る放送番組のコンテンツを送信するよう要求を行ない、該要求に応じて送信されて来たコンテンツデータを前記インタフェース部により受信して前記データ記録部に記憶するように構成されていることを特徴とする請求項３に記載の放送受信機器。
【請求項５】
前記通信回線を介して受信する放送番組のコンテンツは、圧縮されたデータであることを特徴とする請求項２〜４のいずれかに記載の放送受信機器。
【請求項６】
前記一つの予約に係る放送番組は、開始時刻が時間的に最も早い番組であることを特徴とする請求項２〜５のいずれかに記載の放送受信機器。
【発明の詳細な説明】
【技術分野】
【０００１】
本発明は、放送番組のコンテンツの録画機能を有する放送受信機器に関し、特に、番組表で時間的に重なる複数の放送番組のコンテンツを録画可能な放送受信機器に関するものである。
【背景技術】
【０００２】
従来、１つの録画手段しか持たない放送受信機器においては、番組表で時間的に重なる複数の放送番組を録画予約する場合、後から予約しようとする番組の予約作業の途中で、時間が重なるため予約が不能であるメッセージをモニタに表示して、予約作業の中止を促すようにしたものが実用化されている。また、従来の番組放送は電波を使用したオンエアのものや専用ケーブルを使用した有線放送（ケーブルテレビ）しか提供されていないが、近い将来、インターネットなどの通信回線を使用したいわゆるサーバ型の番組放送が実現する可能性がある。
【特許文献１】特開２００５−２８６７６２号公報
【特許文献２】特開２００５−２４４５７７号公報
【特許文献３】特開２００５−０３９５５９号公報
【特許文献４】特開２００３−２３４９８６号公報
【発明の開示】
【発明が解決しようとする課題】
【０００３】
従来、１つの録画手段しか持たない放送受信機器においては、番組表で時間的に重なる複数の放送番組を録画することができなかった。時間的に重なる複数の放送番組を録画するための発明や、サーバ型の放送番組の録画装置に関する発明としては、例えば特許文献１〜４に開示されているものがある。
【０００４】
特許文献１に記載されている発明は、モバイル端末が放送番組の録画を要求する録画要求情報を生成して、通信回線を介してサービス専用サーバに送信する。サービス専用サーバは、要求された放送番組の録画を指示する録画指示情報を生成して、インターネットを介して録画装置に送信し録画装置が受信した録画指示情報に従って放送番組を録画するようにしたものである。この発明は、外出先から簡単な操作で自宅にある録画装置で所望の放送番組を録画することはできる。また、スケジューラを備え、放送予定情報と行動予定情報とが時間的に重なった場合に自動的に録画要求情報を生成して送信することで録画装置により所望の放送番組を録画したり、時間的に遡って録画したり、複数の録画装置がある場合の録画手法に関する技術を開示している。
【０００５】
特許文献２に記載されている発明は、録画機能を備えた複数のＡＶ機器がホームネットワークに接続されている場合に、同一の放送番組の重複した録画を回避しつつ時間的に重なる複数の番組を録画できるようにしたものである。また、この発明は、複数のＡＶ機器を連携させて既に記録されている複数のコンテンツを同時・同期的に再生するための技術を開示している。
【０００６】
特許文献３に記載されている発明は、複数の録画機器がネットワークを介して接続されているシステムにおいて、時間的に重なる複数の放送番組の録画予約がなされた場合に、予約を受け付けた録画機器で録画できない番組を、録画可能な他の録画機器に録画依頼することで時間的に重なる複数の放送番組を録画できるようにしたものである。この発明は、ユーザが１台の録画機器を用意するだけでよく、またサーバに負担をかけることなく時間的に重なる複数の放送番組を録画することができる。また、録画している番組の放送時間が延長された結果、予約されている他の番組の録画ができなくなった場合に録画を可能にするための技術を開示している。
【０００７】
特許文献４に記載されている発明は、予約された放送番組よりも時間的に前の放送番組が放送時間の延長可能性がある番組である場合に、これをＥＰＧ（電子番組表）に基づいて判別し、インターネットを介して所定のＷｅｂサイトに接続して放送状況をリアルタイムで判断して自動的に開始時間を変更して録画できるようにしたものである。
【０００８】
しかしながら、上記特許文献１〜４のいずれにも、１つの録画手段しか持たない放送受信機器により時間的に重なる複数の放送番組を録画するための技術は開示されていない。
【０００９】
本発明の目的は、録画手段を１つしか持たない放送受信機器において、時間的に重なる複数の放送番組を録画できるようにすることにある。
【００１０】
本発明の他の目的は、予約された放送番組よりも時間的に前の放送番組の放送時間が延長された場合にも録画予約をキャンセルしたり途中から録画開始したりすることなく、所望の放送番組を開始時刻当初から録画することができる放送受信機器を提供することにある。
【課題を解決するための手段】
【００１１】
本発明は、上記目的を達成するため、放送信号を受信し映像データおよび音声データを再生する機能と、再生された映像データおよび音声データを記録する機能と、通信回線（インターネット）に接続可能な機能と、入力された視聴予約や録画予約を受け付けて対応する処理をする機能と、を備えた放送受信機器において、時間的に重なる複数の放送番組の視聴予約と録画予約もしくは時間的に重なる複数の放送番組の録画予約が設定されていると判別すると、一つの予約に係る放送番組のコンテンツは前記受信した放送信号から再生されたものを選択し、残りの予約のうち前記予約と時間的に重なる予約に係る放送番組のコンテンツは前記通信回線を介して受信したものを選択し、録画予約に係る放送番組のコンテンツは記録するように構成したものである。
【００１２】
より具体的には、受信した複数のチャンネルの信号から所望のチャンネルの信号を抽出し番組コンテンツを復調するチューナ部と、復調された映像データおよび音声データを復号し、映像信号および音声信号を生成するデコーダ部と、復調された映像データおよび音声データを不揮発的に記憶するデータ記録部と、通信回線に接続可能なインタフェース部と、視聴予約と録画予約のための入力を受け付ける入力処理部と、前記データ記録部や前記インタフェース部を制御する制御部と、を備えた放送受信機器において、前記制御部は、時間的に重なる複数の放送番組の視聴予約と録画予約もしくは時間的に重なる複数の放送番組の録画予約が設定されていると判別すると、一つの予約に係る放送番組のコンテンツは前記チューナ部で復調されたものを選択し、残りの予約のうち前記一つの予約と時間的に重なる予約に係る放送番組のコンテンツは前記インタフェース部により前記通信回線を介して受信したものを選択し、録画予約に係る放送番組のコンテンツは前記データ記録部に記憶するように構成した。
【００１３】
上記した手段によれば、録画手段を１つしか持たない放送受信機器において時間的に重なる複数の放送番組を録画することができ、予約段階で予約が拒否されるのを回避できる。また、予約された放送番組よりも前の放送番組が放送時間の延長された場合にも録画予約をキャンセルしたり途中から録画開始したりすることなく、所望の放送番組を開始時刻当初から録画することができるようになる。
【００１４】
さらに、タイマ管理部を設け、所定の時刻になると前記タイマ管理部から前記制御部へタイマ割込みが発生し、前記制御部は前記インタフェース部を介して所定のサーバに対して前記通信回線を介して前記録画予約に係る放送番組のコンテンツを送信するよう要求を行ない、該要求に応じて送信されて来たコンテンツデータを前記インタフェース部により受信して前記データ記録部に記憶するように構成することができる。
【００１５】
ここで、望ましくは、通信回線を介して受信する放送番組のコンテンツは、圧縮されたデータとする。これによって、データ伝送に要する時間を短縮することができ、省エネルギー化に寄与することができる。さらに、望ましくは、受信した放送信号から再生される一つの予約に係る放送番組は、開始時刻が時間的に最も早い番組とする。これにより、通信回線を介して受信する放送番組のコンテンツが有料である場合に、ユーザの負担を少なくすることができる。
【発明の効果】
【００１６】
本発明に従うと、１つの録画手段しか持たない放送受信機器において時間的に重なる複数の放送番組を録画することができる。また、予約された放送番組よりも時間的に前の放送番組の放送時間が延長された場合にも録画予約をキャンセルしたり途中から録画開始したりすることなく、所望の放送番組を開始時刻当初から録画することができる放送受信機器を実現することができるという効果がある。
【発明を実施するための最良の形態】
【００１７】
以下、本発明の実施の形態について図面を参照して説明する。
図１は、本発明に係る放送受信機器の録画機能を有効に発揮させるのに好適なネットワークシステムの一例であり、番組放送を提供する放送局１００Ａ，１００Ｂ……、複数の家庭内に設置されたＳＴＢ（セットトップボックス）や録画装置などの放送受信機器２１０〜２４０、これらを接続するインターネットのような通信回線（光回線を含む）３００などからなるデジタル放送受信システムの構成を示したものである。
【００１８】
複数のユーザ宅２００Ａ、２００Ｂ、２００Ｃには、それぞれ本発明を適用したＳＴＢ（セットトップボックス）２１０、ＤＶＤ（光ディスク記憶装置）やＨＤＤ（ハードディスク記憶装置）のような録画装置２２０、デジタルＴＶ（テレビジョン装置）２３０Ａ，２３０Ｂ，２３０Ｃ、デジタルＶＴＲ（磁気テープ記憶装置）２４０などが設置されている。これらの機器が複数設置されている家庭では、これらの機器は、ＩＥＥＥ１３９４やＬＡＮなどの有線／無線ネットワークを介して互いに接続することが可能である。図１においては、ユーザ宅２００ＡではＩＥＥＥ１３９４バス２５０を用いてＳＴＢ２１０とＤＶＤ２２０とＤＴＶ２３０とが接続され、ユーザ宅２００ＢではＤＴＶ２３０とＤＶＴＲ２４０とが接続されているものとする。ユーザ宅２００Ｃでは、録画機能を有するＤＴＶ２３０が単独で設置されている。
【００１９】
各ユーザ宅では、ＳＴＢ２１０やＤＴＶ２３０が放送局１００Ａ，１００Ｂ……から提供されるデジタル放送番組を通信衛星、地上波、専用ケーブルを利用して受信する。また、放送局１００Ａ，１００Ｂ……のサーバと、各ユーザ宅のＳＴＢ２１０やＤＴＶ２３０と、特定のサービス事業者のサーバ３００は、インターネット３００に接続されることにより双方向通信（光通信を含む）が可能にされている。
【００２０】
この実施形態では、放送局１００Ａ，１００Ｂ……は、電波や専用ケーブルによるコンテンツの提供の他、サーバによるインターネット（通信回線）３００を介した個別的なコンテンツの提供も可能にされている。電波や専用ケーブルによるコンテンツの提供は無料で行い、インターネット３００を介したコンテンツの提供は有料で行うことが考えられる。
【００２１】
また、インターネット３００を介したコンテンツの提供は、番組放送中および番組放送が終了した後においても可能とされる。番組放送中のコンテンツの提供は、オンエアによる放送内容を追い越さないようにするのが望ましい。さらに、インターネット３００を介したコンテンツの提供は、データを圧縮して行うことができるようにするのが望ましい。データを圧縮して送信することで、データの伝送に要する時間を短縮することができる。
【００２２】
さらに、圧縮して送信する場合、ユーザが要求する圧縮方式で圧縮したデータを提供できるようにすると良い。ユーザが所有する録画装置がデータを圧縮（符号化）して記録し再生の際に伸長（復号）する機能を備える場合、それと同じ圧縮方式で圧縮されたデータを受け取って伸長（復号）し記録するようにすれば、データを伸長（復号）するためのハードウェアを新たに追加する必要がないという利点がある。録画装置は、例えば記録された内容が一度再生され所定期間再生されない場合に圧縮して再記録したり、ユーザからの指令で最初から圧縮されたデータとして記録する機能を持つようにすることで、記憶容量の有効利用が可能となる。つまり、より多くのコンテンツを記録することができるようになる。また、録画装置が複数のデータ圧縮方式に対応可能に構成されている場合、ユーザに与えられる選択自由度が高くなる。
【００２３】
図２には、録画機能を有する放送受信機器としてのＳＴＢ２１０の一構成例が示されている。本発明は、チューナが同時選局可能なチャンネルが１つの機器、またはチューナが同時選局可能なチャンネルが２つあっても録画手段が１つしかない機器に適用すると有効である。
【００２４】
図２のＳＴＢ２１０は、チューナ処理部２０１、デスクランブラ２０２、デマルチプレクサ２０３、デコーダ２０４、１３９４Ｉ／Ｆ２０５、入力処理部２０６、記録処理部２０７、番組記録メモリ２０８、タイマ管理部２０９、受信サービス管理部２１０、受信サービス情報メモリ２１１、インデックス情報管理部２１２、インデックス情報メモリ２１３、ＩＰネットワークＩ／Ｆ２１４、制御部２１５などから構成されている。
【００２５】
チューナ処理部２０１は、放送局１００Ａ，１００Ｂ……から受信した複数のチャンネルの信号から所望のチャンネルの信号を選局し、デジタル変調された番組コンテンツを復調する機能を有する。デスクランブラ２０２は、有料の放送番組を受信可能とするためにかけられている放送番組のスクランブルを解除する機能を有する。デマルチプレクサ２０３は、放送番組から音声データ、映像データを抽出する機能を有する。デコーダ２０４は、圧縮された音声データや映像データを復号し、元の音声信号、映像信号に伸長する機能を有する。
【００２６】
１３９４Ｉ／Ｆ２０５は、ＩＥＥＥ１３９４バスで接続した他のＡＶ機器（例えば、ＤＴＶ２３０やＤＶＤ２２０）との間でＡＶストリームや制御コマンドを送受信する機能を有し、送信するＡＶストリームの暗号化や暗号化されたＡＶストリームの復号化も行う。入力処理部２０６は、リモコンやタッチパネルなどをユーザが操作してＳＴＢ２１０に指令を入力する機能を有する。記録処理部２０７は、放送局から受信した放送番組コンテンツまたはインターネット３００を介して受信した番組コンテンツを、番組記録メモリ２０８に記録するための記録制御を行う機能を有する。
【００２７】
番組記録メモリ２０８は、放送番組のコンテンツを記録するメモリで、例えば磁気ディスクや光ディスク、ハードディスク、メモリカード、あるいはこれらを組み合わせたハイブリッド形態などが考えられる。タイマ管理部２０９は、現在の時間情報や放送番組のタイマ予約を管理し制御部２１５に対してタイマ割込みを発生する機能を有する。受信サービス管理部２１０は、受信サービス情報メモリ２１１に格納した情報を管理する機能を有する。受信サービス情報メモリ２１１は、放送局のサーバから受信したサービス情報等を格納する。
【００２８】
インデックス情報管理部２１２は、インデックス情報メモリ２１３に格納した番組記録メモリ２０８に記録した放送番組に関するインデックス情報を管理する機能を有する。インデックス情報メモリ２１３は、前記インデックス情報を格納する。ＩＰネットワークＩ／Ｆ２１４は、インターネット３００を経由して放送局のサーバや放送局以外のサービス事業者のサーバとデータを送受信する機能を有する。制御部２１５は、ＳＴＢ２１０における各部の動作を統括的に制御する機能を有する。
【００２９】
さらに、本実施形態のＳＴＢ２１０，ＤＴＶ２３０Ｂ，２３０Ｃ等は、各放送局から提供される放送番組に関する情報に基づいて図３に示すようなＥＰＧ（電子番組表）を作成し、表示出力する機能や放送番組を視聴予約したり録画予約したりする機能を有する。ＥＰＧは、放送局以外のサービス事業者のサーバが作成し、配信するものであっても良い。また、ＥＰＧを作成する機能は、ＤＶＤ２２０，ＤＴＶ２３０ＡまたはＤＶＴＲ２４０が備えていても良い。
【００３０】
次に、本実施形態のシステムにおいて、ユーザ宅に放送番組を録画できる装置が１つしかなく時間的に重なる番組を録画する場合の具体的な方法について説明する。なお、以下の処理は、図２の機器においては、主として制御部２１５によって実行される。
【００３１】
ユーザが所望の放送番組を録画予約する場合、リモコンを操作してＴＶの画面やモニタ上に図３に示すような番組表を表示させ、カーソルを所望の番組に移動させる。図３の例では、Ｃ１放送局の番組"映画  ＢＢＢ"が既に録画予約されており、ｘ２放送局の番組"映画００８  パート５"にカーソルが位置しているものとする。ここで、ユーザがリモコンの決定ボタン等を押すと、番組表に代わってあるいは番組表の一部にウィンドゥが形成されて、図４に示すような視聴予約ボタンＢ１，録画予約ボタンＢ２，リターンボタンＢ３および番組内容の詳細情報を表示するウィンドゥＷなどからなる視聴・録画予約画面が表示される。
【００３２】
ここで、ユーザがウィンドゥＷの番組内容を確認して録画予約ボタンＢ２にカーソルを合わせリモコンの決定ボタンを押すと、機器内部で予約処理が開始される。図３の例では、ｘ２放送局の番組"映画００８  パート５"はＣ１放送局の番組"映画  ＢＢＢ"と放送時間が一部重なっている。従来の機器では、このような場合、"予約不能"のメッセージが表示されて、予約処理が拒否されるように構成されていた。これに対し、本実施形態の放送受信機器では、いずれか一方の番組のコンテンツはインターネットを介して取得するように内部切替えを行ない、録画予約を受け付ける。
【００３３】
そして、予約された先の番組"映画００８  パート５"の放送開始時間が来るとｘ２放送局のチャンネルが選択されて録画が開始される。また、後の番組"映画  ＢＢＢ"の放送時間になると、例えばタイマ管理部２０９からのタイマ割込みで制御部２１５がネットワークインタフェース２１４を介してＣ１放送局のサーバに接続して、インターネットを介して番組"映画  ＢＢＢ"のコンテンツを圧縮して送信するように要求を行ない、送信されてきたコンテンツを伸長（復号）して録画する。圧縮データのまま記録するようにすることも可能である。
【００３４】
インターネットを介したコンテンツの送信は、要求時に前の番組"映画００８  パート５"の放送終了時間をコンテンツ送信開始時間に指定して行なうようにすることができる。圧縮データを受信することで、オンエアの正規の番組の終了時間に合わせて録画を完了することが可能になり、それによって例えばその後に続くＣ１放送局の番組"映画  ＣＣＣ"が録画予約されているような場合、その番組はオンエアの放送信号を受信して録画することが可能となる。また、記録装置を１つしか持たずバッファメモリ（揮発性メモリ）の容量が小さな放送受信機器においても時間的に重なる番組のコンテンツを確実に記録することができる。
【００３５】
なお、時間的に重なる後から開始する予約番組のコンテンツの送信要求を、録画予約番組の放送開始時でなく前の番組の録画終了（放送終了）時に行うようにしても良い。また、放送受信機器が比較的記憶容量の大きなバッファメモリを有する場合には、録画中の番組が終了する前にインターネットを介して後の番組のコンテンツの受信を開始し、先の番組の終了後にバッファメモリから番組記録メモリへデータを転送して録画を行うようにすることも可能である。
【００３６】
また、コンテンツを圧縮して送信するようにした場合、画質が低下することが多い。重複予約があった場合にインターネットを介して取得する番組をいずれにするかの決定は、一般には予約時間の比較すなわち時間的に後から開始される番組が選択されるが、番組内容によっては画質があまり問題とされないものがあるので、番組内容に応じて選択したり、メッセージを表示してユーザに選択させるようにしてもよい。
【００３７】
以上、時間的に重なる２つの番組の録画予約について説明したが、本実施形態は、チューナが同時選局可能なチャンネルが１つの機器において、２つの番組の視聴予約と録画予約とが時間的に重なる場合や、ある番組を視聴しながら裏番組を録画する場合にも有効に機能する。
【００３８】
例えば、図３のｘ２放送局の番組"映画００８  パート５"が視聴予約されかつこれと重なるＣ１放送局の番組"映画  ＢＢＢ"が録画予約されている場合やｘ２放送局の番組"映画００８  パート５"の視聴中に裏番組であるＣ１放送局の番組"映画  ＢＢＢ"を録画したい場合、Ｃ１放送局の番組"映画  ＢＢＢ"のコンテンツをインターネットを介して送信してもらうことで、視聴しながら他チャンネルの放送番組を録画することができる。しかも、この場合、録画装置は未使用であり直接記録を開始できるので、放送受信機器の有するバッファメモリの容量が小さくても視聴と並行した録画が可能である。一方、バッファメモリがあれば視聴中の番組終了後に、直ちにＣ１放送局の番組"映画  ＢＢＢ"を先頭から視聴開始（いわゆる追っかけ再生）することができる。
【００３９】
さらに、２つの番組の録画予約が時間的に重なる場合のみならず、３以上の番組の視聴予約や録画予約が時間的に重なる場合にも、例えば１つの番組はチューナからのものを選択し、それ以外の番組のうち重なるものはインターネットを介して受信するように構成することで対応することが可能である。また、機器が大きなバッファメモリを有していなくても、録画中の番組と時間的に重なり後から始まる番組の予約が視聴予約である場合には、録画を継続しながら予約時間になるとその番組のコンテンツの送信要求を放送局のサーバに行ない、速やかにインターネット介して受信して視聴する（録画中の番組は視聴不能）ように構成することができる。
【００４０】
以上本発明者によってなされた発明を実施形態に基づいて具体的に説明したが、本発明はそれに限定されるものではない。例えば、前記実施形態においては、放送局がインターネットを介したコンテンツの提供を行う場合を想定したシステムについて説明したが、放送局とは別にインターネットを介したコンテンツの提供を行うサービス事業者が存在しそのようなサービス事業者が放送局に代わって番組コンテンツの提供を行うシステムにも適用することができる。
【００４１】
また、前記実施形態においては、ＳＴＢが録画機能とインターネット接続機能を有するとしたが、ユーザ宅のＳＴＢが録画機能を持たず、ＳＴＢに接続されたＤＶＤなどの録画装置を備えＳＴＢがＤＶＤに録画委託するようにシステムが構成されている場合やＤＴＶ（デジタルテレビジョン）が録画機能とインターネット接続機能を有する場合にも適用することができる。また、放送受信機能（チューナ）とインターネット接続機能を有するＤＶＤなどの録画装置にも適用することができる。その場合、録画装置も本発明の対象である放送受信機器に含まれる。
【００４２】
さらに、前記実施形態では、録画予約番組の放送開始前に放送時間が重なった場合の録画について説明したが、先に録画スタートした番組の放送時間が延長されることで放送時間が重なった場合の録画に対しても、放送時間の延長情報を放送局あるいは他のサービス事業者から取得して後から録画を開始する番組のコンテンツをインターネット経由で受信するように切り替えることで対応することができる。
【産業上の利用可能性】
【００４３】
以上の説明では主として本発明者によってなされた発明をその背景となった利用分野である放送受信機能および録画機能を有する放送受信機器に適用した場合について説明したが、本発明はそれに限定されるものでなく、放送受信機能および録画機能を有するパーソナルコンピュータなどにも適用することができる。
【図面の簡単な説明】
【００４４】
【図１】本発明に係る放送受信機器の録画機能を有効に発揮させるのに好適なネットワークシステムの一例を示すブロック図である。
【図２】放送受信機器としてのＳＴＢ（セットトップボックス）の一構成例を示すブロック図である。
【図３】放送受信機器で作成される電子番組表の一例を示す画面構成説明図である。
【図４】電子番組表を使用した予約操作の際に表示される画面の一例を示す画面構成説明図である。
【符号の説明】
【００４５】
１００Ａ，１００Ｂ  放送局
２１０  放送受信機器（ＳＴＢ：セットトップボックス）
２２０  録画装置（ＤＶＤ：光ディスク記憶装置）
２３０  放送受信機器（ＤＴＶ：デジタルテレビジョン）
２４０  録画装置（ＤＶＴＲ：デジタル磁気テープ記憶装置）
３００  通信回線（インターネット）
２０１  チューナ処理部（チューナ部）
２０２  デスクランブラ（デコーダ部）
２０３  デマルチプレクサ（デコーダ部）
２０４  デコーダ（デコーダ部）
２０６  入力処理部
２０８  番組記録メモリ（データ記録部）
２０９  タイマ管理部
２１４  ＩＰネットワークＩ／Ｆ（インタフェース部）
２１５  制御部
【図１】
2008199339.tif 000003
【図２】
2008199339.tif 000004
【図３】
2008199339.tif 000005
【図４】
2008199339.tif 000006